(57)【要約】【課題】混色部材を用いることなく発光領域を混色した光で発光させる。【解決手段】本発明に係る導光板２０は、異なる色の光Ｌ１および光Ｌ２を発光領域Ａへ向けて反射する反射領域を有する。反射領域は、光Ｌ１を反射する反射パターン２１ａが配置された第１パターン領域ａ１と、光Ｌ２を反射する反射パターン２１ｂが配置された第２パターン領域ａ２とを含み、第１パターン領域ａ１と第２パターン領域ａ２とは一部が重なっている。【選択図】図３
2015125990.tif 000002
【特許請求の範囲】
【請求項１】
光源から入射した光を導光して、光出射面に設定された発光領域から出射させる導光体であって、
互いに異なる色の光である第１光および第２光を少なくとも入射させ、
入射した上記第１光および第２光を上記発光領域へ向けて反射する反射領域を有し、
上記反射領域は、上記第１光を反射する第１反射パターンが複数配置された第１パターン領域と、上記第２光を反射する第２反射パターンが複数配置された第２パターン領域とを含み、
上記光出射面に対して垂直な方向から見たとき、上記第１パターン領域と上記第２パターン領域とは少なくとも一部が重なり合っていることを特徴とする導光体。
【請求項２】
上記光出射面に対して垂直な方向から見たとき、上記第１パターン領域の一部と上記第２パターン領域の一部とが重なり合っていることを特徴とする請求項１に記載の導光体。
【請求項３】
上記第１パターン領域は、上記第２パターン領域と重なり合う領域の方向に向かって、上記第１反射パターンによる第１光の反射量が徐々に減少し、
上記第２パターン領域は、上記第１パターン領域と重なり合う領域の方向に向かって、上記第２反射パターンによる第２光の反射量が徐々に減少していることを特徴とする請求項２に記載の導光体。
【請求項４】
上記第１反射パターンおよび上記第２反射パターンの配置密度が、上記第１パターン領域と上記第２パターン領域とが重なり合う領域に向かってそれぞれ徐々に低下していることを特徴とする請求項３に記載の導光体。
【請求項５】
上記第１反射パターンおよび上記第２反射パターンの反射面の面積が、上記第１パターン領域と上記第２パターン領域とが重なり合う領域に向かってそれぞれ徐々に小さくなっていることを特徴とする請求項３に記載の導光体。
【請求項６】
上記第１反射パターンおよび上記第２反射パターンの上記光出射面の面内方向における幅が、上記第１パターン領域と上記第２パターン領域とが重なり合う領域に向かってそれぞれ徐々に狭くなっていることを特徴とする請求項５に記載の導光体。
【請求項７】
上記第１反射パターンおよび上記第２反射パターンの反射面の傾斜方向における長さが、上記第１パターン領域と上記第２パターン領域とが重なり合う領域に向かってそれぞれ徐々に短くなっていることを特徴とする請求項４または５に記載の導光体。
【請求項８】
上記第１反射パターンと上記第２反射パターンとは、上記光出射面に対して垂直な方向から見たときの反射面の向きが互いに異なっていることを特徴とする請求項１から７までのいずれか一項に記載の導光体。
【請求項９】
上記第１光および上記第２光は、同一の方向に向けて上記発光領域から出射されることを特徴とする請求項１から８のいずれか一項に記載の導光体。
【請求項１０】
上記第１反射パターンは、上記第１光とは異なる方向から入射した第３光を当該第１光とは異なる方向に向けてさらに反射し、
上記第２反射パターンは、上記第２光とは異なる方向から入射した第４光を当該第２光とは異なる方向に向けてさらに反射し、
上記第３光および上記第４光は、同一の方向に向けて上記発光領域から出射されることを特徴とする請求項９に記載の導光体。
【請求項１１】
上記第１光を出射する第１光源と、
上記第２光を出射する第２光源と、
上記第１光源から入射する上記第１光および上記第２光源から入射する上記第２光を導光して上記光出射面から出射させる請求項１から１０までのいずれか一項に記載の導光体と、
を備えることを特徴とする発光装置。
【請求項１２】
請求項１１に記載の発光装置を備えることを特徴とする遊技機。
【発明の詳細な説明】
【技術分野】
【０００１】
本発明は、光源から入射する光を導光して光出射面から出射させる導光体、および当該導光板を備えた発光装置、遊技機に関するものである。
【背景技術】
【０００２】
従来、光源から出射された光を導光板の側面から導光板内に入射させ、導光板の裏面側に設けられた反射パターンで反射させて導光板の表面から出射させる技術が知られている。
【０００３】
例えば、特許文献１には、導光板の裏面における所定の文字に対応する形状の領域に反射パターンを配置しておくことにより、導光板の表面側における上記文字に対応する領域を混色した光で発光させる技術が開示されている。
【先行技術文献】
【特許文献】
【０００４】
【特許文献１】特開平１１−８５０７５号公報（１９９９年３月３０日公開）
【発明の概要】
【発明が解決しようとする課題】
【０００５】
しかしながら、上記特許文献１の技術では、反射パターンの配置形状に応じた文字を混色した光で発光させることはできるものの、導光体に混色した光を入射させるための混色部材（拡散シート）を別途配置する必要がある。
【０００６】
本発明は、上記の問題点に鑑みてなされたものであり、その目的は、光源から入射する光を導光し、光出射面に設定された発光領域から出射させる導光体において、混色部材を用いることなく発光領域を混色した光で発光させることができる導光体、発光装置および遊技機を提供することにある。
【課題を解決するための手段】
【０００７】
上記課題を解決するために、本発明の一態様に係る導光体は、光源から入射した光を導光して、光出射面に設定された発光領域から出射させる導光体であって、互いに異なる色の光である第１光および第２光を少なくとも入射させ、入射した上記第１光および第２光を上記発光領域へ向けて反射する反射領域を有し、上記反射領域は、上記第１光を反射する第１反射パターンが複数配置された第１パターン領域と、上記第２光を反射する第２反射パターンが複数配置された第２パターン領域と含み、上記光出射面に対して垂直な方向から見たとき、上記第１パターン領域と上記第２パターン領域とは少なくとも一部が重なり合っていることを特徴としている。
【０００８】
上記の構成では、第１光を反射する第１反射パターンが複数配置された第１パターン領域と、第１光とは異なる色の第２光を反射する第２反射パターンが複数配置された第２パターン領域とが少なくとも一部において重なり合っている。
【０００９】
そのため、第１パターン領域と第２パターン領域とが重なり合った領域（以下、混色領域と称する。）では第１光および第２光の双方が発光領域に向けて反射されるので、混色領域に対応する発光領域の部分を第１光と第２光とを混色した光で発光させることが可能となる。
【００１０】
したがって、上記の構成によれば、混色部材を用いることなく発光領域を混色した光で発光させることが可能な導光体を実現することができる。
【００１１】
本発明の一態様に係る導光体では、上記光出射面に対して垂直な方向から見たとき、上記第１パターン領域の一部と上記第２パターン領域の一部とが重なり合っていてもよい。
【００１２】
上記の構成によれば、第１パターン領域と第２パターン領域とは、互いに一部が重なり合っている。そのため、第１パターン領域のみに対応する発光領域の部分を第１光で発光させ、混色領域に対応する発光領域の部分を第１光と第２光とを混色した光で発光させ、第２パターン領域のみに対応する発光領域の部分を第２光で発光させことができる。
【００１３】
したがって、上記の構成によれば、混色した色を含む複数の色を用いて発光領域を発光させることができる。
【００１４】
本発明の一態様に係る導光体では、上記第１パターン領域は、上記第２パターン領域と重なり合う領域の方向に向かって、上記第１反射パターンによる第１光の反射量が徐々に減少し、上記第２パターン領域は、上記第１パターン領域と重なり合う領域の方向に向かって、上記第２反射パターンによる第２光の反射量が徐々に減少していてもよい。
【００１５】
上記の構成では、第１パターン領域における第１光の反射量および第２パターン領域における第２光の反射量が混色領域の方向に向かって徐々に減少し、当該混色領域においてそれぞれ最小となる。
【００１６】
したがって、上記の構成によれば、第１パターン領域および第２パターン領域に対応する発光領域の部分の色が第１光の色から第２光の色へと徐々に変化するグラデーション表示を行うことができる。
【００１７】
本発明の一態様に係る導光体では、上記第１反射パターンおよび上記第２反射パターンの配置密度が、上記第１パターン領域と上記第２パターン領域とが重なり合う領域に向かってそれぞれ徐々に低下していてもよい。
【００１８】
上記の構成では、第１パターン領域に配置された第１反射パターンの配置密度を混色領域に向かって徐々に低下さている。そのため、第１パターン領域における第１光の反射量は混色領域に向かって徐々に減少し、当該混色領域において最小となる。
【００１９】
同様に、上記の構成では、第２パターン領域に配置された第２反射パターンの配置密度を、混色領域の方向に向かって徐々に低下させている。そのため、第２パターン領域における第２光の反射量は混色領域に向かって徐々に減少し、当該混色領域において最小となる。
【００２０】
したがって、上記の構成によれば、第１反射パターンおよび第２反射パターンの配置密度を徐々に変化させることにより、発光領域の色が第１光の色から第２光に色へと徐々に変化するグラデーション表示を行うことができる。
【００２１】
本発明の一態様に係る導光体では、上記第１反射パターンおよび上記第２反射パターンの反射面の面積が、上記第１パターン領域と上記第２パターン領域とが重なり合う領域に向かってそれぞれ徐々に小さくなっていてもよい。
【００２２】
上記の構成では、第１パターン領域に配置された第１反射パターンの反射面の面積が、混色領域に向かって徐々に小さくなっている。そのため、第１パターン領域における第１光の反射量は混色領域に向かって徐々に減少し、当該混色領域において最小となる。
【００２３】
同様に、上記の構成では、第２パターン領域に配置された第２反射パターンの反射面の面積が、混色領域の方向に向かって徐々に小さくなっている。そのため、第２パターン領域における第２光の反射量は、混色領域に向かって徐々に減少し、当該混色領域において最小となる。
【００２４】
したがって、上記の構成によれば、第１反射パターンおよび第２反射パターンの反射面の面積を徐々に変化させることにより、発光領域の色が第１光の色から第２光の色へと徐々に変化するグラデーション表示を行うことができる。
【００２５】
本発明の一態様に係る導光体では、上記第１反射パターンおよび上記第２反射パターンの上記光出射面の面内方向における幅が、上記第１パターン領域と上記第２パターン領域とが重なり合う領域に向かってそれぞれ徐々に狭くなっていてもよい。
【００２６】
上記の構成では、第１パターン領域に配置された第１反射パターンの反射面の幅が混色領域の方向に向かって徐々に狭くなっているため、当該反射面の面積を混色領域に向かって徐々に小さくすることができる。
【００２７】
同様に、上記の構成では、第２パターン領域に配置された第２反射パターンの反射面の幅が混色領域の方向に向かって徐々に狭くなっているため、当該反射面の面積を混色領域に向かって徐々に小さくすることができる。
【００２８】
したがって、上記の構成によれば、反射面の幅を徐々に変化させることにより、発光領域の色が第１光の色から第２光の色へと徐々に変化するグラデーション表示を行うことができる。
【００２９】
本発明の一態様に係る導光体では、上記第１反射パターンおよび上記第２反射パターンの反射面の傾斜方向における長さが、上記第１パターン領域と上記第２パターン領域とが重なり合う領域に向かってそれぞれ徐々に短くなっていてもよい。
【００３０】
上記の構成では、第１パターン領域に配置された第１反射パターンの反射面の傾斜方向における長さが混色領域の方向に向かって徐々に短くなっているため、第１反射パターンの反射面の面積を混色領域に向かって徐々に小さくすることができる。
【００３１】
同様に、上記の構成では、第２パターン領域に配置された第２反射パターンの反射面の傾斜方向における長さが混色領域の方向に向かって徐々に狭くなっているため、当該反射面の面積を混色領域に向かって徐々に小さくすることができる。
【００３２】
したがって、上記の構成によれば、反射面の傾斜方向における長さを徐々に変化させることにより、発光領域の色が第１光の色から第２光の色へと徐々に変化するグラデーション表示を行うことができる。
【００３３】
本発明の一態様に係る導光体では、上記第１反射パターンと上記第２反射パターンとは、上記光出射面に対して垂直な方向から見たときの反射面の向きが互いに異なっていてもよい。
【００３４】
上記の構成では、例えば、第１光と第２光とを異なる方向から入射させる場合、第１光の入射方向に反射面が向くように第１反射パターンを配置し、第２光の入射方向に反射面が向くように第２反射パターンを配置することにより、第１パターン領域および第２パターン領域によって、第１光および第２光を発光領域に向けて容易に反射することができる。
【００３５】
本発明の一態様に係る導光体では、上記第１光および上記第２光は、同一の方向に向けて上記発光領域から出射されていてもよい。
【００３６】
上記の構成によれば、第１光および第２光の出射方向から発光領域を観察する観察者に対して、第１光と第２光とを混色した光を好適に視認させることができる。
【００３７】
本発明の一態様に係る導光体では、上記第１反射パターンは、上記第１光とは異なる方向から入射した第３光を当該第１光とは異なる方向に向けてさらに反射し、上記第２反射パターンは、上記第２光とは異なる方向から入射した第４光を当該第２光とは異なる方向に向けてさらに反射し、上記第３光および上記第４光は、同一の方向に向けて上記発光領域から出射されていてもよい。
【００３８】
上記の構成では、第１光および第２光が出射される方向とは異なる方向に向けて、第３光および上記第４光が出射される。そのため、第１光および第２光の出射方向から観察者が発光領域を観察した場合、第１光と第２光とを混色した光で発光した発光領域を観測者に視認させることができる。また、第３光および第４光の出射方向から観察者が発光領域を観察した場合、第３光と第４光とを混色した光で発光した発光領域を観測者に視認させることができる。
【００３９】
したがって、上記の構成によれば、観察者の観察位置に応じて、観測者に視認される発光領域の色を変化させることが可能となる。
【００４０】
上記課題を解決するために、本発明の一態様に係る発光装置は、上記第１光を出射する第１光源と、上記第２光を出射する第２光源と、上記第１光源から入射する上記第１光および上記第２光源から入射する上記第２光を導光して上記光出射面から出射させる上記導光体と、を備えることを特徴としている。
【００４１】
上記の構成によれば、混色部材を用いることなく発光領域を混色した光で発光させることができる発光装置を実現することができる。
【００４２】
上記課題を解決するために、本発明の一態様に係る遊技機は、発光装置を備えることを特徴としている。
【００４３】
上記の構成によれば、混色部材を用いることなく発光領域を混色した光で発光させることが可能な遊技機を実現することができる。
【発明の効果】
【００４４】
以上のように、本発明によれば、光源から入射する光を導光し、光出射面に設定された発光領域から出射させる導光体において、混色部材を用いることなく発光領域を混色した光で発光させることが可能な導光体、発光装置および遊技機を提供することができるという効果を奏する。
【図面の簡単な説明】
【００４５】
【図１】図１は、実施形態１に係る導光板を備えた発光装置の概略構成を示す説明図であり、図１の（ａ）は上面図、図１の（ｂ）は斜視図である。
【図２】図２は、図１に示される導光板に形成された反射パターンを示す断面図である。
【図３】図３は、図１に示される発光領域の一部を拡大した上面図である。
【図４】図４は、図３に示される反射パターンの向きを説明するための模式図である。
【図５】図５は、実施形態１に係る導光板の発光状態の一例を示す説明図である。
【図６】図６の（ａ）〜図６の（ｄ）は、反射パターンの変形例を示す断面図である。
【図７】図７は、図３に示される発光領域の変形例を説明するための上面図である。
【図８】図８は、図７に示される反射パターンの光の反射方向を説明するための模式図である。
【図９】図９は、実施形態２に係る導光板を備えた発光装置の概略構成を示す説明図であり、図９の（ａ）は上面図、図９の（ｂ）は斜視図である。
【図１０】図１０は、図９に示される発光領域の一部を拡大した上面図である。
【図１１】図１１は、図１０に示される反射パターンの他の配置例を示す上面図である。
【図１２】図１２は、図１０に示される反射パターンのさらに他の配置例を示す上面図である。
【発明を実施するための形態】
【００４６】
〔実施形態１〕
本発明の一実施形態について、図１〜図８に基づいて説明すれば以下の通りである。本実施形態では、本発明に係る導光体を備えた発光装置の一例について説明する。
【００４７】
＜発光装置１の構成＞
図１は、本実施形態に係る導光板（導光体）２０を備えた発光装置１の概略構成を示す説明図であり、図１の（ａ）は発光装置１の上面図、図１の（ｂ）は発光装置１の斜視図である。この発光装置１は、例えばパチンコおよびスロットマシンなどの遊技機に好適に搭載され、導光板２０の表面２０ｂに図形、文字、絵柄などのオブジェクトを表示することで様々な視覚的演出を行うものである。
【００４８】
図１の（ａ）および図１の（ｂ）に示すように、発光装置１は、光源１０、および導光板２０を備えている。
【００４９】
（光源１０）
光源１０は、導光板２０の側面（光入射面）２０ａへ向けて光を出射する発光素子である。光源１０は導光板２０の側面２０ａ側に配置されており、光源１０から出射された光は側面２０ａから導光板２０内に入射する。
【００５０】
本実施形態では、光源１０として、光源（第１光源）１０ａおよび光源（第２光源）１０ｂが配置されている。光源１０ａおよび光源１０ｂは、互いに異なる色の光を出射する。具体的には、光源１０ａは光（第１光）Ｌ１を出射し、光源１０ａは光Ｌ１と異なる色の光（第２光）Ｌ２を出射する。光源１０ａおよび光源１０ｂは、導光板２０の側面２０ａに対する光Ｌ１と光Ｌ２との入射角度が互いに異なるようにそれぞれ配置されている。
【００５１】
光源１０ａおよび光源１０ｂの種類は特に限定されるものではないが、例えばＬＥＤ（Light Emitting Diode）などの指向性を有するものを好適に用いることができる。
【００５２】
なお、光源１０ａおよび光源１０ｂが出射する光Ｌ１および光Ｌ２の色の組み合わせは特に限定されず、後述する発光領域Ａの配色などに応じて適宜選択される。
【００５３】
また、配置される光源１０ａおよび光源１０ｂの数についても特に限定されない。例えば、導光板２０の側面２０ａに対して複数の光源１０ａおよび光源１０ｂがそれぞれ配置されていてもよい。また、光源１０ａおよび光源１０ｂとは異なる色の光を出射する光源がさらに配置されていてもよい。
【００５４】
（導光板２０）
導光板２０は、光源１０ａから入射した光Ｌおよび光源１０ｂから入射した光Ｌ２を導光して、表面（光出射面）２０ｂから出射する導光部材である。導光板２０は、光を全反射する材料（例えば、アクリル樹脂など）が板状に成形された透明性を有するものである。
【００５５】
この導光板２０の側面２０ａから入射した光Ｌ１および光Ｌ２は、導光板２０の表面２０ｂおよび裏面２０ｃで全反射しながら導光板２０内を伝播して、導光板２０の表面２０ｂに設定された発光領域Ａからそれぞれ出射する。
【００５６】
なお、導光板２０は平面で構成された形状に限られず、球面または自由曲面を含む形状であってもよい。また、本実施形態では、導光体として板状に成形された導光板２０を用いているが、板状以外の形状、例えば円筒状などであってもよい。
【００５７】
図２は、導光板２０に形成された反射パターン２１を示す断面図である。図２に示すように、導光板２０の裏面２０ｃには、発光領域Ａに対応する領域（以下、反射領域と称する。）ａに、光源１０から入射して導光板２０内を伝播した光を発光領域Ａへ向けて正反射させるための反射パターン２１が複数形成されている（図２では１つの反射パターン２１のみを図示している。）。この反射パターン２１は、導光板２０の側面２０ａから入射した光源１０からの光を発光領域Ａへ向けて反射する傾斜した反射面を有している。
【００５８】
本実施形態では、反射パターン２１として、導光板２０の裏面２０ｃに対して垂直であり、且つ、光の導光方向に平行な断面の断面形状が略二等辺三角形状（Ｖ字状）を成し、当該断面に対して垂直な方向に沿って直線的に延伸するように裏面２０ｃを切り欠いた溝を形成している。なお、上述の通り、この導光板２０は透明な材料からなるいわゆるシースルー型の導光パネルである。そのため、光源１０が非点灯状態の場合、表面２０ｂを観察する観察者に反射パターン２１が認識されないようになっている。
【００５９】
ただし、反射パターン２１は、導光板２０の裏面２０ｃを切り欠くことによって形成された溝状のパターンに限られず、導光板２０の裏面２０ｃから外側に突出するように形成されていてもよい。また、反射パターン２１は、導光板２０と一体的に設けられる構成に限られず、例えば導光板２０の裏面２０ｃに取り付けられるものであってもよい。
【００６０】
図３は、図１に示される発光領域Ａの一部を拡大した上面図であり、図４は、図３に示される反射パターン２１ａおよび反射パターン２１ｂの向きを説明するための模式図である。
【００６１】
図３に示すように、発光領域Ａに対応する反射領域ａは、第１パターン領域ａ１、および第２パターン領域ａ２を少なくとも含んでいる。
【００６２】
第１パターン領域ａ１は、光源１０ａからの光Ｌ１を発光領域Ａに向けて反射する領域である。この第１パターン領域ａ１には、光源１０ａからの光Ｌ１を発光領域Ａへ向けて反射するように反射面の向きおよび傾斜角度が調整された反射パターン（第１反射パターン）２１ａが複数配置されている。
【００６３】
第２パターン領域ａ２は、光源１０ｂからの光Ｌ２を発光領域Ａへ向けて反射する領域である。この第２パターン領域ａ２には、光源１０ｂからの光Ｌ２を発光領域Ａへ向けて反射するように反射面の向きおよび傾斜角度が調整された反射パターン（第２反射パターン）２１ｂが複数配置されている。
【００６４】
図４に示すように、第１パターン領域ａ１に配置された各反射パターン２１ａは、反射面の向きを略平行とし、且つ、各反射パターン２１ａの延伸方向が光源１０ａから導光板２０に入射する光Ｌ１の光軸方向に対して垂直になるように、一定の密度で配置（整列配置）されている。これにより、各反射パターン２１ａによって光源１０ａからの光Ｌ１を所定の方向へ向けて好適に反射することができる。
【００６５】
また、第２パターン領域ａ２に配置された各反射パターン２１ｂは、反射面の向きを略平行とし、且つ、各反射パターン２１ｂの延伸方向が光源１０ｂから導光板２０に入射する光Ｌ２の光軸方向に対して垂直になるように、一定の密度で配置（整列配置）されている。これにより、各反射パターン２１ｂによって光源１０ｂからの光Ｌ２を所定の方向へ向けて好適に反射することができる。
【００６６】
本実施形態では、光Ｌ１および光Ｌ２が、発光領域Ａから同一の方向（例えば、表面２０ｂに対して垂直な方向）に向けて出射されるように、反射パターン２１ａおよび反射パターン２１ｂの反射面の向きおよび傾斜角度が調整されている。これにより、表面２０ｂの正面に位置する観察者に対して、光Ｌ１と光Ｌ２とを好適に視認させることができる。
【００６７】
ここで、光Ｌ１を反射する反射パターン２１ａが複数配置された第１パターン領域ａ１と、光Ｌ２を反射する反射パターン２１ｂが複数配置された第２パターン領域ａ２とは、表面２０ｂに対して垂直な方向から見たとき、互いに一部が重なり合うように形成されている。
【００６８】
そのため、第１パターン領域ａ１と第２パターン領域ａ２とが互いに重なり合う領域（以下、混色領域ａ３と称する。）では光Ｌ１および光Ｌ２の双方が発光領域Ａに向けて反射されるので、混色領域ａ３に対応する発光領域Ａの部分を光Ｌ１と光Ｌ２とを混色した光で発光させることが可能となる。より詳細には、第１パターン領域ａ１のみに対応する発光領域Ａの部分を光Ｌ１で発光させ、混色領域ａ３に対応する発光領域Ａの部分を光Ｌ１と光Ｌ２とを混色した光で発光させ、第２パターン領域ａ２のみに対応する発光領域Ａの部分を光Ｌ２で発光させことができる。
【００６９】
したがって、光Ｌ１と光Ｌ２とを混色した色を含む複数の色を用いて発光領域Ａを発光させることができる。
【００７０】
＜導光板２０の発光例＞
図５は、本実施形態に係る導光板２０の発光状態の一例を示す説明図である。図５に示す例は、図３に示す第１パターン領域ａ１および第２パターン領域ａ２のように、一部が互いに重なり合ったパターン領域の組を複数（本実施形態では７つ）組み合わせて反射領域ａを形成した場合の導光板２０の発光例である。導光板２０に表示される図形（発光領域Ａ）を構成する７つの面のうちの１つに一組のパターン領域が対応している。
【００７１】
この場合、図５に示すように、発光領域Ａを構成する各面は、反射領域ａに形成された対応する一組のパターン領域によって発光する。そのため、発光領域Ａを構成する７つの面それぞれを、光Ｌ１と光Ｌ２とを混色した光を含む複数の色を用いて発光させることができるので、観察者に対する視覚的効果を高めることができる。
【００７２】
＜発光装置１の効果＞
このように、実施形態に係る発光装置１は、光源１０ａから入射した光Ｌ１および光源１０ｂから入射した光Ｌ２を導光して、表面２０ｂに設定された発光領域Ａから出射させる導光板２０を備えている。導光板２０は、互いに異なる色の光である光Ｌ１および光Ｌ２を少なくとも入射させ、入射した光Ｌ１および光Ｌ２を発光領域Ａへ向けて反射する反射領域ａを有している。反射領域ａは、光Ｌ１を反射する反射パターン２１ａが複数配置された第１パターン領域ａ１と、光Ｌ２を反射する反射パターン２１ｂが複数配置された第２パターン領域ａ２とを含み、表面２０ｂに対して垂直な方向から見たとき、第１パターン領域ａ１と第２パターン領域ａ２とは少なくとも一部が重なり合っている。
【００７３】
発光装置１では、導光板２０の表面２０ｂに対して垂直な方向から見たとき、光Ｌ１を反射する反射パターン２１ａが複数配置された第１パターン領域ａ１と、光Ｌ１とは異なる色の光Ｌ２を反射する反射パターン２１ｂが複数配置された第２パターン領域ａ２とは、少なくとも一部が重なり合っている。
【００７４】
そのため、第１パターン領域ａ１と第２パターン領域ａ２とが互いに重なり合った領域である混色領域ａ３では光Ｌ１および光Ｌ２の双方が発光領域Ａに向けて反射されるので、混色領域ａ３に対応する発光領域Ａの部分を光Ｌ１および光Ｌ２を混色した光で発光させることが可能となる。
【００７５】
したがって、本実施形態によれば、混色部材を用いることなく発光領域Ａを混色した光で発光させることが可能な発光装置１を実現することができる。
【００７６】
＜変形例＞
（変形例１）
図６の（ａ）〜図６の（ｄ）は、反射パターン２１の変形例を示す断面図である。図６の（ａ）〜図６の（ｄ）の上段は反射パターン２１の上面図を示し、下段は反射パターン２１の断面図を示している。
【００７７】
上述の実施形態では、図６の（ａ）に示すように、反射パターン２１は、断面形状が２つの傾斜面を有する略二等辺三角形状としている。ただし、反射パターン２１の断面形状およびパターン形状は、光源１０の配置位置や数、表示するオブジェクトの種類、光を反射させる方向などに応じて適宜変更可能である。
【００７８】
例えば、図６の（ｂ）に示すように、反射パターン２１として、断面形状が１つの傾斜面を有する略直角三角形状である溝を形成してもよい。この場合、反射パターン２１は、光が入射する方向に傾斜面が位置するように形成される。
【００７９】
また、図６の（ｃ）および図６の（ｄ）に示すように、反射パターン２１は、直線的なパターン形状ではなく、曲線的なパターン形状に形成されていてもよい。
【００８０】
（変形例２）
図７は、図３に示される発光領域Ａの変形例を説明するための上面図であり、図８は、図７に示される反射パターン２１ａの光Ｌ１の反射方向および反射パターン２１ｂの光Ｌ２の反射方向を説明するための模式図である。
【００８１】
図７および図８に示すように、例えば、光Ｌ１とは異なる方向から入射した他の光源（第３光源）からの光（第３光）Ｌ３を、反射パターン２１ａによって光Ｌ１とは異なる方向に向けてさらに反射しもよい。また、光Ｌ２とは異なる方向から入射した他の光源（第４光源）からの光（第４光）Ｌ４を、反射パターン２１ｂによって光Ｌ２とは異なる方向であり、且つ、光Ｌ３と同一の方向に向けてさらに反射してもよい。
【００８２】
これにより、光Ｌ１および光Ｌ２が出射される方向（例えば、表面２０ｂに対して垂直な方向）とは異なる他の方向（例えば、表面２０ｂに対して斜め方向）に向けて、光Ｌ３および光Ｌ４が発光領域Ａから出射される。そのため、光Ｌ１および光Ｌ２の出射方向から観察者が発光領域Ａを観察した場合、光Ｌ１と光Ｌ２とを混色した色を含む複数の色で発光した発光領域Ａを観測者に視認させることができる。また、光Ｌ３および光Ｌ４の出射方向から観察者が発光領域Ａを観察した場合、光Ｌ３と光Ｌ４とを混色した色を含む複数の色で発光した発光領域Ａを視認させることができる。
【００８３】
したがって、本変形例によれば、観察者の観察位置に応じて、観測者に視認される発光領域Ａの色を変化させることが可能となる。
【００８４】
〔実施形態２〕
本発明の他の実施形態について、図９〜図１２に基づいて説明すれば以下の通りである。なお、説明の便宜上、実施形態１と同じ機能を有する部材には同じ符号を付し、その説明を省略する。
【００８５】
＜発光装置１１の構成＞
図９は、本実施形態に係る導光板１２０を備えた発光装置１１の概略構成を示す説明図であり、図９の（ａ）は上面図、図９の（ｂ）は斜視図である。本実施形態に係る発光装置１１は、導光板１２０の発光領域Ａの色を光Ｌ１の色から光Ｌ２の色へと徐々に変化させるグラデーション表示を行う点において上述した発光装置１と主に異なっている。
【００８６】
図９の（ａ）および図９の（ｂ）に示すように、発光装置１１は、光源１０、および導光板１２０を備えている。
【００８７】
（導光板１２０）
導光板１２０は、光源１０ａから入射する光Ｌ１および光源１０ｂから入射する光Ｌ２を導光して、表面２０ｂに設定された発光領域Ａから出射させる導光部材である。本実施形態に係る導光板１２０は、発光領域Ａをグラデーション表示するために、第１パターン領域ａ１における光Ｌ１の反射量および第２パターン領域ａ２における光Ｌ２の反射量が、混色領域ａ３に向かって（混色領域Ａ３に近づくにつれて）徐々に減少し、混色領域ａ３においてそれぞれ最小となるように、反射パターン２１ａおよび反射パターン２１ｂが配置されている。
【００８８】
図１０は、図９に示される発光領域Ａを示す上面図である。図１０に示すように、導光板１２０では、第１パターン領域ａ１に配置された反射パターン２１ａおよび第２パターン領域ａ２に配置された第２反射パターンの配置密度が、混色領域ａ３に向かってそれぞれ徐々に低下するように、反射パターン２１ａおよび反射パターン２１ｂが配置されている。
【００８９】
反射パターン２１ａの配置密度を混色領域ａ３に向かって徐々に低下させることにより、第１パターン領域ａ１における光Ｌ１の反射量は混色領域ａ３に向かって徐々に減少し、混色領域ａ３において最小となる。同様に、反射パターン２１ｂの配置密度を、混色領域ａ３の方向に向かって徐々に低下させることにより、第２パターン領域ａ２における第２光の反射量は混色領域ａ３に向かって徐々に減少し、混色領域ａ３において最小となる。
【００９０】
したがって、上記の構成によれば、第１反射パターンおよび第２反射パターンの配置密度を徐々に変化させることにより、発光領域Ａの色が光Ｌ１の色から光Ｌ２に色へと徐々に変化するグラデーション表示を行うことができる。
【００９１】
＜反射パターン２１の配置例＞
図１１は、図１０に示される反射パターン２１ａおよび反射パターン２１ｂの他の配置例を示す上面図であり、図１２は、図１０に示される反射パターン２１ａおよび反射パターン２１ｂのさらの他の配置例を示す上面図である。
【００９２】
反射パターン２１ａおよび反射パターン２１ｂの配置密度に代えて、第１パターン領域ａ１に配置された反射パターン２１ａの反射面の面積および第２パターン領域ａ２に配置された反射パターン２１ｂの反射面の面積を、混色領域ａ３に向かってそれぞれ徐々に小さくしてもよい。
【００９３】
反射パターン２１ａの反射面の面積を混色領域ａ３に向かって徐々に小さくすることにより、第１パターン領域ａ１における光Ｌ１の反射量を混色領域ａ３に向かって徐々に減少させることができる。同様に、第２パターン領域ａ２に配置された反射パターン２１ｂの反射面の面積を、混色領域ａ３の方向に向かって徐々に小さくすることにより、第２パターン領域ａ２における光Ｌ２の反射量を同方向に向かって徐々に減少させることができる。
【００９４】
このように、反射パターン２１ａおよび反射パターン２１ｂの反射面の面積を徐々に変化させることにより、発光領域Ａの色が光Ｌ１の色から光Ｌ２の色へと徐々に変化するグラデーション表示を行うことができる。
【００９５】
この場合、図１１に示すように、導光板１２０の表面２０ｂの面内方向における反射パターン２１ａおよび反射パターン２１ｂの幅（反射パターン２１ａおよび反射パターン２１ｂと裏面との交線の長さ）を、混色領域ａ３に向かってそれぞれ徐々に狭くしてもよい。
【００９６】
反射パターン２１ａの反射面の幅を混色領域ａ３に向かって徐々に狭くすることにより、第１パターン領域ａ１における光Ｌ１の反射量を混色領域ａ３に向かって徐々に減少させることができる。同様に、反射パターン２１ｂの反射面の幅を混色領域ａ３に向かって徐々に狭くすることにより、第２パターン領域ａ２における第２光の反射量を混色領域ａ３に向かって徐々に減少させることができる。
【００９７】
また、図１２に示すように、反射パターン２１ａおよび反射パターン２１ｂの反射面の傾斜方向における長さを、第１パターン領域と上記第２パターン領域とが重なり合う領域に向かってそれぞれ徐々に短くしてもよい。
【００９８】
反射パターン２１ａの反射面の傾斜方向における長さを混色領域ａ３に向かって徐々に短くすることにより、第１パターン領域ａ１における光Ｌ１の反射量を混色領域ａ３に向かって徐々に減少させることができる。同様に、反射パターン２１ｂの反射面の傾斜方向における長さを混色領域ａ３の方向に向かって徐々に短くすることにより、第２パターン領域ａ２における光Ｌ２の反射量を混色領域ａ３に向かって徐々に減少させることができる。
【００９９】
このように、反射パターン２１ａおよび反射パターン２１ｂの反射面の幅または傾斜方向における長さを徐々に変化させることにより、発光領域Ａの色が光Ｌ１の色から光Ｌ２の色へと徐々に変化するグラデーション表示を行うことができる。
【０１００】
＜発光装置１１の効果＞
このように、実施形態に係る発光装置１１は導光板１２０を備え、この導光板１２０では、第１パターン領域ａ１における光Ｌ１の反射量および第２パターン領域ａ２における光Ｌ２の反射量が混色領域ａ３の方向に向かって徐々に減少し、混色領域ａ３においてそれぞれ最小となるように、反射パターン２１ａおよび反射パターン２１ｂが配置されている。
【０１０１】
したがって、本実施形態によれば、第１パターン領域ａ１および第２パターン領域ａ２に対応する発光領域Ａの部分の色が光Ｌ１の色から光Ｌ２の色へと徐々に変化するグラデーション表示を行うことが可能な発光装置１１を実現することができる。
【０１０２】
なお、上述した実施形態では、２つのパターン領域（第１パターン領域ａ１および第２パターン領域ａ２）が重なり合った構成について説明したが、本発明はこの構成に限定されない。例えば、互いに異なる色の光を反射する３つ以上のパターン領域が互いに重なり合っていてもよい。これにより、３種類以上の色を混色した光を生成できるため、発光領域Ａを所望の色に発光させることができる。
【０１０３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０４】
本発明は、光源から入射する光を導光して光出射面から出射させる導光体、およびそれを備えた発光装置に適用でき、例えば、パチンコおよびスロットマシンなどの遊技機に好適に搭載することがきる。
【符号の説明】
【０１０５】
１，１１  発光装置
１０  光源
１０ａ  光源（第１光源）
１０ｂ  光源（第２光源）
２０，１２０  導光板（導光体）
２０ａ  側面
２０ｂ  表面（光出射面）
２０ｃ  裏面
２１  反射パターン
２１ａ    反射パターン（第１反射パターン）
２１ｂ  反射パターン（第２反射パターン）
Ａ  発光領域
ａ  反射領域
ａ１  第１パターン領域
ａ２  第２パターン領域
ａ３  混色領域
Ｌ１  光（第１光）
Ｌ２  光（第２光）
Ｌ３  光（第３光）
Ｌ４  光（第４光）
【図１】
2015125990.tif 000003
【図２】
2015125990.tif 000004
【図３】
2015125990.tif 000005
【図４】
2015125990.tif 000006
【図６】
2015125990.tif 000007
【図７】
2015125990.tif 000008
【図８】
2015125990.tif 000009
【図９】
2015125990.tif 000010
【図１０】
2015125990.tif 000011
【図１１】
2015125990.tif 000012
【図１２】
2015125990.tif 000013
【図５】
2015125990.tif 000014